(57)【要約】【課題】互いに背反する特性を一台のマグネットチャック内に具備できるマグネットチャックを新規に提供すること。【解決手段】被保持部材を保持する保持部１６が形成され、保持部１６の表面に端面が露出する磁性部材１２と非磁性部材１４とが交互に組み合わされて形成された筐体１８と、保持部１６に保持された被保持部材を着磁して固定する固定位置と着磁を解消して固定を解除する固定解除位置との間を回動可能に設けられた磁石３０と、磁石３０を筐体１８に回動可能に保持する磁石保持部材３２と、磁石保持部材３２に装着された切替レバー２０とを具備し、磁石保持部材３２には、切替レバー２０の装着穴３４と装着穴３４の内部に固定穴３８とが形成されていて、固定穴３８に着脱可能に装着される固定具３６により切替レバー２０が着脱自在に装着されていることを特徴とする。【選択図】図２
2009101446.tif 000002
【特許請求の範囲】
【請求項１】
磁性材料から成る被保持部材を位置決めして保持する保持部が形成され、前記被保持部材が当接する前記保持部の表面に端面が露出する磁性体から成る磁性部材と非磁性体から成る非磁性部材とが交互に組み合わされて形成された筐体と、
前記筐体内に挿入され、前記保持部に保持された被保持部材を着磁して固定する固定位置と、前記被保持部材の着磁を解消して固定を解除する固定解除位置との間を回動または回転可能に設けられた磁石と、
前記磁石を前記筐体に回動または回転可能に保持する磁石保持部材と、
前記磁石保持部材に装着され、前記磁石を前記固定位置と前記固定解除位置とに回動または回転する切替レバーと、を具備し、
前記磁石保持部材には、前記切替レバーが装着される装着穴と、該装着穴の内部に前記切替レバーを固定するための固定穴とがそれぞれ形成されていて、
前記固定穴に着脱可能に装着される固定具により前記切替レバーが前記装着穴に着脱自在に装着されていることを特徴とするマグネットチャック。
【請求項２】
前記装着穴と前記固定穴との中心軸が同一中心軸となるように設けられていることを特徴とする請求項１記載のマグネットチャック。
【請求項３】
前記固定具と前記固定穴とが、着脱可能に螺着されていることを特徴とする請求項１または２記載のマグネットチャック。
【請求項４】
前記装着穴が多角形に形成されていることを特徴とする請求項１〜３のうちのいずれか一項に記載のマグネットチャック。
【発明の詳細な説明】
【技術分野】
【０００１】
本発明はマグネットチャックに関し、より詳細には、被保持部材を磁力により保持する保持部における被保持部材への着磁状態の切り替えを行う際の切替レバーを使用状況に応じて任意で着脱することが可能なマグネットチャックに関する。
【背景技術】
【０００２】
鋼材等の磁性体を機械加工した加工品に代表される被保持部材に対して、寸法精度の計測を行う際やケガキ処理を施す際においては、被保持部材を磁力によって吸着保持するマグネットチャックが好適に用いられている。このようなマグネットチャックには、保持部が被保持部材に着磁させた状態（以下、単に「オン状態」ということがある）と、保持部が被保持部材への着磁を解除した状態（以下、単に「オフ状態」ということがある）との切り替え操作が可能な切替レバーが設けられている。
【０００３】
このようなマグネットチャックにおいては、切替レバーがマグネットチャックの筐体（本体部分）で回動可能ではあるものの、筐体から切替レバーが取り外しができないように装着されているマグネットチャック（例えば、非特許文献１）と、基本的には筐体から切替レバーが取り外されており、保持部において、被保持物への着磁状態のオン状態とオフ状態を切り替え操作をする際においてのみ、筐体に切替レバーを装着して用いるマグネットチャック（例えば非特許文献２）が提供されている。
【非特許文献１】カネテック株式会社、”マグネット応用工作機器の総合メーカー、カネテック株式会社  ■ＭＤＲ”、［online］、[平成１９年１０月１６日検索]、インターネット＜ＵＲＬ／http://www.kanetec.co.jp/products/mdr.html＞
【非特許文献２】カネテック株式会社、”マグネット応用工作機器の総合メーカー、カネテック株式会社  ■ＭＭＣ”、［online］、[平成１９年１０月１６日検索]、インターネット＜http://www.kanetec.co.jp/products/mmc.html＞
【０００４】
非特許文献１に開示されている形態のマグネットチャックは、オン状態とオフ状態との切り替え操作が迅速に行うことができるという利点がある反面、本体部分に取り付けられている切替レバーが邪魔になり、複数個のマグネットチャックを並べて用いる際等においてや、切替レバーが配設されている面はマグネットチャックの設置面として用いることができないという特性を有している。
一方、非特許文献２に開示されている形態のマグネットチャックは、複数個のマグネットチャックを並べて使用する際や、マグネットチャックの設置面の選択肢が広いという利点がある反面、マグネットチャックのオン状態とオフ状態との切り替え操作を行う都度、筐体に切替レバーを装着しなければならず、保持部の着磁状態のオン状態とオフ状態との切り替え操作が煩雑になるという特性を有している。
【発明の開示】
【発明が解決しようとする課題】
【０００５】
以上に説明したとおり、現在提供されているマグネットチャックの特性は二律背反状態にあるため、ユーザーは、非特許文献１および非特許文献２にそれぞれ記載されている形態のマグネットチャックを多数個所有し、自らの使用態様に適合するようにそれぞれの形態のマグネットチャックを適宜組み合わせて用いなければならず、マグネットチャックの調達コストが高くなるという課題があった。
【０００６】
そこで本願発明は、互いに背反する特性を一台のマグネットチャック内に具備できるマグネットチャックを新規に提供することを第１の目的とする。また、様々な使用態様に適合することが可能であり、使い勝手の良いマグネットチャックとすることで、マグネットチャックの調達コストを低減することを目的としている。
【課題を解決するための手段】
【０００７】
本発明は、磁性材料から成る被保持部材を位置決めして保持する保持部が形成され、前記被保持部材が当接する前記保持部の表面に端面が露出する磁性体から成る磁性部材と非磁性体から成る非磁性部材とが交互に組み合わされて形成された筐体と、前記筐体内に挿入され、前記保持部に保持された被保持部材を着磁して固定する固定位置と、前記被保持部材の着磁を解消して固定を解除する固定解除位置との間を回動または回転可能に設けられた磁石と、前記磁石を前記筐体に回動または回転可能に保持する磁石保持部材と、前記磁石保持部材に装着され、前記磁石を前記固定位置と前記固定解除位置とに回動または回転する切替レバーと、を具備し、前記磁石保持部材には、前記切替レバーが装着される装着穴と、該装着穴の内部に前記切替レバーを固定するための固定穴とがそれぞれ形成されていて、前記固定穴に着脱可能に装着される固定具により前記切替レバーが前記装着穴に着脱自在に装着されていることを特徴とするマグネットチャックである。
【０００８】
また、前記装着穴と前記固定穴との中心軸が同一中心軸となるように設けられていることを特徴とする。
また、前記固定具と前記固定穴とが、着脱可能に螺着されていることを特徴とする。
これらにより装着穴と固定穴との加工や切替レバーの装着が容易になるため好都合である。
【０００９】
また、前記装着穴が多角形に形成されていることを特徴とする。これにより、切替レバーを装着穴にさえ装着すれば、装着穴と切替レバーが嵌合するため、オン状態とオフ状態との切り替え操作を確実に行うことができる。
【発明の効果】
【００１０】
本発明にかかるマグネットチャックによれば、切替レバーを筐体に組み付けた状態にするか、切替レバーを筐体に組み付けない状態にするか、をユーザーが任意に選択することができる。
また、複数種類のマグネットチャックを確保せずとも、さまざまな使用条件に適合することが可能なマグネットチャックを低コストで調達することができる。
【発明を実施するための最良の形態】
【００１１】
以下、本発明にかかるマグネットチャックの実施形態について、図面に基づいて説明する。図１は、本実施形態における切替レバーを取り付けた状態におけるマグネットチャックの斜視図である。図２は本実施形態におけるマグネットチャックの組み立て断面図である。図３は、切替レバーと表面板とを取り外した状態におけるマグネットチャックの正面図である。図４は、切替レバーを取り外した状態におけるマグネットチャックの斜視図である。
【００１２】
図１に示すように、本実施形態におけるマグネットチャック１０は、磁性材料によりなる磁性部材１２と非磁性材料によりなる非磁性部材１４とを交互に組み合わせ、側面視が略Ｖ字形をなす保持部１６を有する筐体１８と、筐体１８の内部に収容され、筐体１８の内部にて回動または回転可能に配設された磁石３０と、磁石３０を所要位置間で回動させる切替レバー２０と、を有している。
本実施形態においては磁性部材１２の材料に鉄を、非磁性部材１４の材料にアルミニウムをそれぞれ用いている。
【００１３】
Ｖ字形をなす保持部１６は、図示しない被保持部材を磁石３０の磁力により位置決めした状態で吸着保持する部位である。保持部１６のオン状態とオフ状態とを切り替えるための切替レバー２０は、表面板５０に形成された装着孔５２から筐体１８内に差し込まれている。また、切替レバー２０は、後述する固定具（ネジ）を貫通孔２４から挿入することにより筐体１８に脱着自在に装着されている。切替レバー２０のつまみ部分２２はオン状態とオフ状態を示す指示部としても機能している。
【００１４】
保持部１６において被保持部材を吸着保持する面には磁性部材１２と非磁性部材１４の端面がそれぞれ交互に露出する状態に形成されている。非磁性部材１４は、磁性部材１２に形成された非磁性部材組付溝１２ｂに装着される。本実施形態における非磁性部材組付溝１２ｂは、マグネットチャック１０の幅方向（図２の紙面と直交する方向）に２箇所に形成されている。アルミニウム板からなる非磁性部材１４は、それぞれの非磁性部材組付溝１２ｂに挿し込まれることで磁性体部材１２に装着される。
【００１５】
磁性部材１２と非磁性部材１４とのそれぞれには互いに位置合わせされたピン用貫通孔Ｋが形成されている。磁性部材１２の非磁性部材組付溝１２ｂに非磁性部材１４を装着した後、ピン用貫通孔ＫにピンＰを通し、ピンＰの両端部を磁性部材１２の外表面（筐体１８の外表面）でカシメることにより一体に組み付けた後、磁性部材１２に磁石３０を収容するための内部空間１２ａを切削加工により形成している。
このようにして磁性部材１２と非磁性部材１４とで筐体１８を組み立てることにより、保持部１６の部位（筐体１８の上側面）において磁性部材１２および非磁性部材１４の端面がそれぞれ交互に露出した状態にすることができる。
【００１６】
図２に示すように、磁石３０は磁性部材１２に形成された内部空間１２ａ（筐体１８の内部空間）に収容されている。本実施形態における磁石３０は両端部分に凹部３０ａを有する円柱状に形成されている。マグネットチャック１０の正面側における磁石３０の凹部３０ａは、凹部３０ａと嵌合する凸部３２ａが形成された磁石保持部３２により保持されていて、磁性部材１２の内部空間１２ａ内（筐体１８の内部空間内）で回動可能に設けられている。磁石保持部３２に保持されていない側の磁石３０の端部は、摩擦係数が小さく、磁力の影響を受けない樹脂材等で形成された支持板３３に当接している。支持板３３に当接している部分も凹部３０ａに形成されているので、磁石３０の回動時（オン状態とオフ状態との切り替え操作時）に生じる摩擦等の抵抗が軽減されるため好都合である。
磁石３０の磁極の状態は、磁石３０を正面から見た状態において対向する円周上の位置でＮ極とＳ極となる構成に設定されている（図３参照）。
【００１７】
また、図２に示すように、磁性部材１２には磁石保持部３２を覆うようにして表面板５０がネジ止め等によって取り付けられている。表面板５０には切替レバー２０の回転軸２１を磁石保持部３２に連通させるための連通孔５２が形成されている。
連通孔５２を介して筐体１８の正面側に露出している磁石保持部３２の面には、切替レバー２０の回転軸２１を装着するための装着穴３４が形成されている。本実施形態においては、切替レバー２０の回転軸２１と装着穴３４とは共に六角形に形成した。
【００１８】
装着穴３４の底部には、切替レバー２０の回転軸２１を装着穴３４に固定するためのネジ３６(固定具)を螺着させるためのネジ穴３８（固定穴）が形成されている。図３に示すとおり、装着穴３４とネジ穴３８との中心軸は、同一中心軸となるように形成されている。また、装着穴３４には、保持部１６への着磁状態（オン状態とオフ状態）を示す指示溝４０が形成されているので、切替レバー２０のつまみ部分２２により保持部１６のオン状態とオフ状態とが示されていなくても、指示溝４０によりオン状態とオフ状態との確認をすることができる。
【００１９】
切替レバー２０は、回転軸２１を装着穴３４に挿し込んで装着した後、固定具であるネジ３６を貫通孔２４に挿通して固定穴であるネジ穴３８に螺着することにより、切替レバー２０を磁石保持部材３２（筐体１８）に固定することができる。本実施形態におけるネジ３６は六角レンチにより回転させる形態とした。これにより汎用工具さえあれば、切替レバー２０の筐体１８への脱着作業が可能になる。このように、ネジ３６をネジ穴３８の螺着することにより切替レバー２０を筐体１８に固定したマグネットチャック１０は、先に説明した非特許文献１で開示されているマグネットチャックと同様の特性を有する。
【００２０】
これに対して切替レバー２０の回転軸２１を装着穴３４に挿し込んで装着するのみとし、ネジ穴３８にネジ３６を螺着させず、筐体１８に切替レバー２０を固定させないマグネットチャック１０（図４参照）も提供することができる。この形態のマグネットチャック１０は、先に説明した非特許文献２で開示されているマグネットチャックと同様の特性を有する。
このように、本実施形態にかかるマグネットチャック１０は、従来では異なる二種類のマグネットチャック１０が個別に有していた特性をまとめて備えており、使い勝手が良好である。
【００２１】
本実施形態においては、保持部１６に当接させた被保持部材を着磁して固定する固定位置（オン状態）と、前記被保持部材の着磁を解消して固定を解除する固定解除位置（オフ状態）との切り替えを行う際に、それぞれの位置の間で磁石３０を回動させることにより切り替えを行っているが、保持部１６のオン状態とオフ状態との切り替え操作はこの方式に限定されるものではない。例えば、内部空間１２ａ（筐体１８の内部空間）に配設された磁石３０を切替レバー２０により回転させて、磁石３０を内部空間１２ａ（筐体１８の内部）において、回転平面と直交する方向に移動させることにより、保持部１６のＯＮ状態とオフ状態との切り替えを行う方式においても本願発明を適用することが可能である。
【００２２】
また、本実施形態においては、磁性部材１２に鉄を用い、非磁性部材１４にアルミニウムを用いた形態について説明しているが、磁性部材１２および非磁性部材１４における材料の選択は適宜行うことができるのはもちろんである。
また、本実施形態においては切替レバー２０の回転軸２１と装着穴３４の形状をそれぞれ六角形状に形成しているが、回転軸２１と装着穴３４とが嵌合可能な形状であって、磁石保持部３２を介して磁石３０を回動または回転させることができれば、いずれの多角形に形成されていてもよい。
さらには、切替レバー２０をマグネットチャック１０に固定する際の係止具であるネジ３６として、六角レンチを用いてネジ３６を回転させる形態について説明しているが、ドライバーで回転させる通常のネジ３６を採用することもできる。
【図面の簡単な説明】
【００２３】
【図１】本実施形態におけるマグネットチャックの斜視図である。
【図２】本実施形態におけるマグネットチャックの組み立て断面図である。
【図３】切替レバーと表面板とを取り外した状態におけるマグネットチャックの正面図である。
【図４】切替レバーを取り外した状態におけるマグネットチャックの斜視図である。
【符号の説明】
【００２４】
１０  マグネットチャック
１２  磁性部材
１２ａ  内部空間
１２ｂ  非磁性部材組付溝
１４  非磁性部材
１６  保持部
１８  筐体
２０  切替レバー
２１  回転軸
２２  つまみ部分
２４  貫通孔
３０  磁石
３０ａ  凹部
３２  磁石保持部
３２ａ  凸部
３３  支持板
３４  装着穴
３６  ネジ（固定具）
３８  ネジ穴（固定穴）
４０  指示溝
５０  表面板
５２  連通孔
Ｋ  ピン用貫通孔
Ｐ  ピン
【図１】
2009101446.tif 000003
【図２】
2009101446.tif 000004
【図３】
2009101446.tif 000005
【図４】
2009101446.tif 000006